(57)【要約】【課題】サーバ装置との接続がない状態で、サーバ装置から記録するコンテンツを端末装置において予め選択でき、次に端末装置がサーバ装置と接続されたとき、迅速かつ容易に端末装置にコンテンツを記録することが可能なサーバ装置、端末装置、コンテンツ送受信システム、コンテンツ送受信方法及びプログラムを提供すること。【解決手段】端末装置と相互に接続可能なときコンテンツを端末装置に送信するサーバ装置であって、端末装置に記録されていないコンテンツのメタデータが端末装置で選択されたとき、選択されたメタデータを受信する選択メタデータ受信部と、選択されたメタデータに関するコンテンツを端末装置に送信するコンテンツ送信部とを備えることを特徴とする。【選択図】図１
2009140169.tif 000002
【特許請求の範囲】
【請求項１】
端末装置と相互に接続可能なときコンテンツを前記端末装置に送信するサーバ装置であって、
前記端末装置に記録されていない前記コンテンツのメタデータが前記端末装置で選択されたとき、前記選択されたメタデータを受信する選択メタデータ受信部と、
前記選択されたメタデータに関する前記コンテンツを前記端末装置に送信するコンテンツ送信部と、
を備えることを特徴とする、サーバ装置。
【請求項２】
前記コンテンツに関する前記メタデータを生成するメタデータ生成部と、
前記生成されたメタデータを前記端末装置に送信するメタデータ送信部と、
を備えることを特徴とする、請求項１に記載のサーバ装置。
【請求項３】
ネットワークを介して前記コンテンツに関する情報を取得するコンテンツ情報取得部を備え、
前記メタデータ生成部は、前記コンテンツ情報取得部が取得したコンテンツ情報に基づいて、前記メタデータを生成することを特徴とする、請求項２に記載のサーバ装置。
【請求項４】
サーバ装置と相互に接続可能なときコンテンツを前記サーバ装置から受信する端末装置であって、
前記コンテンツと前記コンテンツに関するメタデータとを記録媒体に記録する記録部と、
前記記録媒体に記録されていない前記コンテンツの前記メタデータを選択する選択部と、
前記選択されたメタデータを前記サーバ装置に送信する選択メタデータ送信部と、
前記選択されたメタデータに関する前記コンテンツを前記サーバ装置から受信するコンテンツ受信部と、
を備えることを特徴とする、端末装置。
【請求項５】
前記選択部は、前記サーバ装置と接続されていないとき、前記記録媒体に記録されていない前記コンテンツの前記メタデータを選択し、
前記選択メタデータ送信部は、前記サーバ装置と接続されたとき、前記選択されたメタデータを前記サーバ装置に送信することを特徴とする、請求項４に記載の端末装置。
【請求項６】
前記コンテンツに関するメタデータを前記サーバ装置から受信するメタデータ受信部を備えることを特徴とする、請求項４に記載の端末装置。
【請求項７】
前記コンテンツに関するメタデータを生成するメタデータ生成部を備えることを特徴とする、請求項４に記載の端末装置。
【請求項８】
サーバ装置と端末装置とが相互に接続可能なときコンテンツを送受信するコンテンツ送受信システムであって、
前記端末装置は、
前記コンテンツと前記コンテンツに関するメタデータとを記録媒体に記録する記録部と、
前記記録媒体に記録されていない前記コンテンツの前記メタデータを選択する選択部と、
前記選択されたメタデータを前記サーバ装置に送信する選択メタデータ送信部と、
を備え、
前記サーバ装置は、
前記選択されたメタデータを受信する選択メタデータ受信部と、
前記選択されたメタデータに関する前記コンテンツを前記端末装置に送信するコンテンツ送信部と、
を備え、
前記端末装置は、前記選択されたメタデータに関する前記コンテンツを前記サーバ装置から受信するコンテンツ受信部を備えることを特徴とする、コンテンツ送受信システム。
【請求項９】
前記選択部は、前記端末装置が前記サーバ装置と接続されていないとき、前記記録媒体に記録されていない前記コンテンツの前記メタデータを選択し、
前記メタデータ送信部は、前記端末装置が前記サーバ装置と接続されたとき、前記選択されたメタデータを前記サーバ装置に送信することを特徴とする、請求項８に記載のコンテンツ送受信システム。
【請求項１０】
前記サーバ装置は、
前記コンテンツに関する前記メタデータを生成するメタデータ生成部と、
前記生成されたメタデータを前記端末装置に送信するメタデータ送信部と、
を備え、
前記端末装置は、前記メタデータを前記サーバ装置から受信するメタデータ受信部を備えることを特徴とする、請求項８に記載のコンテンツ送受信システム。
【請求項１１】
前記サーバ装置は、ネットワークと接続され、
前記ネットワークを介して前記コンテンツに関する情報を取得するコンテンツ情報取得部を備え、
前記メタデータ生成部は、前記コンテンツ情報取得部が取得したコンテンツ情報に基づいて、前記コンテンツに関するメタデータを生成することを特徴とする、請求項１０に記載のコンテンツ送受信システム。
【請求項１２】
前記端末装置は、前記コンテンツに関するメタデータを生成するメタデータ生成部を備えることを特徴とする、請求項８に記載のコンテンツ送受信システム。
【請求項１３】
前記メタデータは、前記コンテンツが記録されており前記コンテンツが送信される場所に関するデータ、及び前記選択部による選択の有無に関するデータの少なくともいずれかを含むことを特徴とする、請求項８に記載のコンテンツ送受信システム。
【請求項１４】
サーバ装置と端末装置とが相互に接続可能なときコンテンツを送受信するコンテンツ送受信方法であって、
前記コンテンツと前記コンテンツに関するメタデータとを前記端末装置の記録媒体に記録するステップと、
前記サーバ装置と前記端末装置が相互に接続されていないとき、前記端末装置において、前記記録媒体に記録されていない前記コンテンツの前記メタデータを選択するステップと、
前記端末装置が前記選択されたメタデータを前記サーバ装置に送信するステップと、
前記サーバ装置が前記選択されたメタデータを前記端末装置から受信するステップと、
前記端末装置が前記選択されたメタデータに関する前記コンテンツを前記端末装置に送信するステップと、
前記端末装置が前記選択されたメタデータに関する前記コンテンツを前記サーバ装置から受信するステップと、
を含むことを特徴とする、コンテンツ送受信方法。
【請求項１５】
端末装置と相互に接続可能なときコンテンツを前記端末装置に送信するサーバ装置においてコンピュータに実行させるためのプログラムであって、
前記端末装置に記録されていない前記コンテンツのメタデータが前記端末装置で選択されたとき、前記選択されたメタデータを受信する手段、
前記選択されたメタデータに関する前記コンテンツを前記端末装置に送信する手段、
をコンピュータに実行させるためのプログラム。
【請求項１６】
サーバ装置と相互に接続可能なときコンテンツを前記サーバ装置から受信する端末装置においてコンピュータに実行させるためのプログラムであって、
前記コンテンツと前記コンテンツに関するメタデータとを記録媒体に記録する手段、
前記記録媒体に記録されていない前記コンテンツの前記メタデータを選択する手段、
前記選択されたメタデータを前記サーバ装置に送信する手段
前記選択されたメタデータに関する前記コンテンツを前記サーバ装置から受信する手段、
をコンピュータに実行させるためのプログラム。
【発明の詳細な説明】
【技術分野】
【０００１】
本発明は、サーバ装置、端末装置、コンテンツ送受信システム、コンテンツ送受信方法及びプログラムに関する。
【背景技術】
【０００２】
記録メディアを有する携帯可能な携帯記録再生装置（端末装置の一例であり、以下、携帯機器ともいう。）は、記録メディアの容量が通常、据え置き型のコンピュータ装置、記録再生装置（サーバ装置の一例であり、以下、ホスト機器ともいう。）などと比較して少ない。また、携帯記録再生装置自身がインターネット等と接続可能な通信機能を有していない場合がある。そのため、携帯記録再生装置には、インターネット等のネットワークと接続可能な、より大容量の記録メディアを有するコンピュータ装置や記録再生装置に接続するものがある。これによって、外部のコンピュータ装置や記録再生装置を介して、携帯記録再生装置にデータを追加することができる。
【０００３】
例えば、特許文献１〜３には、外部装置と接続可能な携帯記録再生装置に関する技術が開示されており、外部装置と携帯記録再生装置間で送受信されるデータについて記載されている。
【０００４】
【特許文献１】特開２００６−１９７５１２号公報
【特許文献２】特開２００３−３４８５０８号公報
【特許文献３】特開２００２−２９１０６６号公報
【発明の開示】
【発明が解決しようとする課題】
【０００５】
ところで、携帯記録再生装置は容量に制限があるため、ネットワークとの接続機能を有さない場合、通常、より大容量の記録メディアを有する外部装置にコンテンツデータを蓄積しておき、携帯記録再生装置が外部装置と接続されているときに、携帯記録再生装置に記録するデータを決定する操作を行なう。
【０００６】
すなわち、携帯記録再生装置が、外部装置と接続されず携帯されて持ち出されているような状態では、外部装置や外部ネットワークから追加できるコンテンツは、携帯記録再生装置側では不明であった。そのため、携帯記録再生装置に新たにコンテンツを追加したい場合、追加するコンテンツを選択するには、携帯記録再生装置が外部装置と接続された状態とする必要があった。
【０００７】
そこで、本発明は、上記問題に鑑みてなされたものであり、本発明の目的とするところは、サーバ装置との接続がない状態で、サーバ装置から記録するコンテンツを端末装置において予め選択でき、次に端末装置がサーバ装置と接続されたとき、迅速かつ容易に端末装置にコンテンツを記録することが可能な、新規かつ改良されたサーバ装置、端末装置、コンテンツ送受信システム、コンテンツ送受信方法及びプログラムを提供することにある。
【課題を解決するための手段】
【０００８】
上記課題を解決するために、本発明のある観点によれば、端末装置と相互に接続可能なときコンテンツを端末装置に送信するサーバ装置であって、端末装置に記録されていないコンテンツのメタデータが端末装置で選択されたとき、選択されたメタデータを受信する選択メタデータ受信部と、選択されたメタデータに関するコンテンツを端末装置に送信するコンテンツ送信部とを備えることを特徴とするサーバ装置が提供される。
【０００９】
上記コンテンツに関するメタデータを生成するメタデータ生成部と、生成されたメタデータを端末装置に送信するメタデータ送信部とを備えてもよい。
【００１０】
ネットワークを介してコンテンツに関する情報を取得するコンテンツ情報取得部を備え、メタデータ生成部は、コンテンツ情報取得部が取得したコンテンツ情報に基づいて、メタデータを生成してもよい。
【００１１】
また、上記課題を解決するために、本発明の別の観点によれば、サーバ装置と相互に接続可能なときコンテンツをサーバ装置から受信する端末装置であって、コンテンツとコンテンツに関するメタデータとを記録媒体に記録する記録部と、記録媒体に記録されていないコンテンツのメタデータを選択する選択部と、選択されたメタデータをサーバ装置に送信する選択メタデータ送信部と、選択されたメタデータに関するコンテンツをサーバ装置から受信するコンテンツ受信部とを備えることを特徴とする端末装置が提供される。
【００１２】
上記選択部は、サーバ装置と接続されていないとき、記録媒体に記録されていないコンテンツのメタデータを選択し、選択メタデータ送信部は、サーバ装置と接続されたとき、選択されたメタデータをサーバ装置に送信してもよい。
【００１３】
上記コンテンツに関するメタデータをサーバ装置から受信するメタデータ受信部を備えてもよい。また、上記コンテンツに関するメタデータを生成するメタデータ生成部を備えてもよい。
【００１４】
また、上記課題を解決するために、本発明の別の観点によれば、サーバ装置と端末装置とが相互に接続可能なときコンテンツを送受信するコンテンツ送受信システムであって、端末装置は、コンテンツとコンテンツに関するメタデータとを記録媒体に記録する記録部と、記録媒体に記録されていないコンテンツのメタデータを選択する選択部と、選択されたメタデータをサーバ装置に送信する選択メタデータ送信部とを備え、サーバ装置は、選択されたメタデータを受信する選択メタデータ受信部と、選択されたメタデータに関するコンテンツを端末装置に送信するコンテンツ送信部とを備え、端末装置は、選択されたメタデータに関するコンテンツをサーバ装置から受信するコンテンツ受信部を備えることを特徴とする、コンテンツ送受信システムが提供される。
【００１５】
上記メタデータは、コンテンツが記録されておりコンテンツが送信される場所に関するデータ、及び選択部による選択の有無に関するデータの少なくともいずれかを含んでもよい。
【発明の効果】
【００１６】
本発明によれば、サーバ装置との接続がない状態で、サーバ装置から記録するコンテンツを端末装置において予め選択でき、次に端末装置がサーバ装置と接続されたとき、迅速かつ容易に端末装置にコンテンツを記録することができる。
【発明を実施するための最良の形態】
【００１７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１８】
（第１の実施形態）
まず、本発明の第１の実施形態に係るコンテンツ送受信システムについて説明する。図１は、本実施形態に係るコンテンツ送受信システムを示すブロック図である。
【００１９】
本実施形態のコンテンツ送受信システムは、コンテンツが予め記録されたホスト機器１００と、記録再生装置としての携帯機器２００とを有して構成される。ホスト機器１００は、例えば、音楽、映画などに関するコンテンツが記録されている。携帯機器２００は、ホスト機器１００と接続可能であり、コンテンツをホスト機器１００から受信し、コンテンツを記録し再生することができる。
【００２０】
まず、本実施形態に係るホスト機器１００について説明する。ホスト機器１００は、図１に示すように、記憶領域１０２、ＵＩ部１０６、ＮＩＣ１０８、データ制御部１１０、メタ解析部１１２、インターフェース部１２０を有して構成されている。
【００２１】
記憶領域１０２は、例えばＨＤＤなどであり、データ制御部１１０の制御により、データの書き込み、読込み、消去などが可能である。記憶領域１０２は、音楽や映画などコンテンツに関するデータを蓄積している。これらのコンテンツは、外部の記録媒体（例えば、ＣＤなど）からデータを読み込んで記憶領域１０２に書き込まれるとしてもよい。また、記憶領域１０２は、コンテンツに関するメタデータを一時的に蓄積している。メタデータは、コンテンツを特定するための情報（タイトル、アーティスト等）、コンテンツが格納されている物理的な場所（例えば、記憶領域１０２上の具体的な位置（アドレス）、外部の記録再生装置等）、データ操作予約（コンテンツをホスト機器１００から携帯機器２００に移動又はコピーする、ネットワーク上から購入する、ホスト機器１００上から削除する等）に関する情報、コンテンツの容量（操作予約ができるかの判断基準となる。）、ＤＲＭ情報（操作予約ができるかの判断基準となる。）が含まれる。
【００２２】
なお、データ操作予約とは、携帯機器２００がホスト機器１００に接続されていないとき、携帯機器２００上でコンテンツの新たな追加、削除を予め決定（操作予約）しておき、携帯機器２００がホスト機器１００に接続されたとき、操作予約された動作を行なうことをいう。
【００２３】
ＵＩ部１０６は、ユーザインターフェースとして、ホスト機器１００のユーザの操作を受け付け、その操作に関するデータをデータ制御部１１０に送る。例えば、外部の記録媒体からのコンテンツの移動、記憶領域１０２上のコンテンツの管理などを行なう。また、ＵＩ部１０６は、ホスト機器１００における動作を表示し、ユーザはホスト機器１００の動作を確認することかできる。ＮＩＣ１０８は、インターネット等のネットワークと接続され、例えばコンテンツを受信する。
【００２４】
データ制御部１１０は、コンテンツ、メタデータなどのデータの携帯機器２００との送受信、データの生成、消去、データの記憶領域１０２への蓄積等を制御する。データ制御部１１０は、メタデータ送信部の一例であり、例えばホスト機器１００で生成されたメタデータを携帯機器２００に送信する。
【００２５】
データ制御部１１０は、メタ解析部１１２を有する。メタ解析部１１２は、携帯機器２００から受信したメタデータを取得し、その内容を解析する。メタ解析部１１２は、選択メタデータ受信部の一例であり、携帯機器２００で操作予約がされたコンテンツに関するメタデータを取得する。そして、メタデータの内容に応じて、データ制御部１１０は、例えば記憶領域１０２から選択されたコンテンツを読み出して、携帯機器２００へのデータ送信などを行なう。
【００２６】
また、データ制御部１１０は、メタデータ生成部の一例であり、記憶領域１０２に蓄積されているコンテンツに関するメタデータを生成したり、外部の記録媒体から取得されたコンテンツに関するメタデータを生成したりする。
【００２７】
インターフェース部１２０は、携帯機器２００と接続されて、コンテンツ、メタデータを携帯機器２００へ送る。例えば、ＵＳＢ、ＩＥＥＥ１３９４、ＩＥＥＥ８０２．１１ａ／ｂ／ｇ、Ｂｌｕｅｔｏｏｔｈ形式で、データの送受信を行ない、有線方式、無線方式のいずれでもよい。
【００２８】
次に、本実施形態に係る携帯機器２００について説明する。携帯機器２００は、図１に示すように、記憶領域２０２、ＵＩ部２０６、データ制御部２１０、メタ生成部２１２、インターフェース部２２０を有して構成されている。
【００２９】
記憶領域２０２は、例えばＨＤＤ、フラッシュメモリなどであり、データ制御部２１０の制御により、データの書き込み、読込み、消去などが可能である。記憶領域２０２は、ホスト機器１００から受信した音楽や映画などコンテンツに関するデータを蓄積している。また、記憶領域１０２は、コンテンツに関するメタデータを蓄積している。メタデータは、上述したとおりデータ操作予約に関する情報が含まれ、例えば、携帯機器２００において操作予約がされたとき、その情報がメタデータ内の操作予約フィールドに書き込まれる。
【００３０】
例えば、携帯機器２００がホスト機器１００に接続されていないときに、携帯機器２００上でコンテンツの新たな追加、削除を予め決定（操作予約）されたとき、その操作予約の内容がメタデータに記録される。そして、携帯機器２００がホスト機器１００に接続されたとき、メタデータがホスト機器１００に送信され、操作予約された動作が実際に行なわれる。
【００３１】
ＵＩ部２０６は、ユーザインターフェースとして、携帯機器２００のユーザの操作を受け付け、その操作に関するデータをデータ制御部２１０に送る。例えば、外部の記録媒体からのコンテンツの移動、記憶領域１０２上のコンテンツの管理などを行なう。また、ＵＩ部２０６は、携帯機器２００における動作を表示し、ユーザは携帯機器２００の動作を確認することかできる。ＵＩ部２０６は、選択部の一例であり、記憶領域２０２にコンテンツは記録されていないがメタデータは記録されているとき、ユーザの操作によって記録されていないコンテンツのメタデータを選択する。
【００３２】
データ制御部２１０は、コンテンツ、メタデータのホスト機器１００との送受信、データの生成、消去、データの記憶領域１０２への蓄積等を制御する。データ制御部２１０は、コンテンツ受信部の一例であり、選択されたメタデータに関するコンテンツをホスト機器１００から受信する。
【００３３】
データ制御部２１０は、メタ生成部２１２を有する。メタ生成部２１２は、操作予約時に操作予約に対する実行の可否を判断し、操作予約に関するメタデータを生成したり、メタデータのうち操作予約に関する情報を操作予約フィールドに書き込んだりする。メタ生成部２１２は、選択メタデータ送信部の一例であり、記憶領域２０２に記録されていないコンテンツのメタデータが選択されたとき、選択されたメタデータをホスト機器１００に送信する。
【００３４】
インターフェース部２２０は、ホスト機器１００と接続されて、コンテンツ、メタデータをホスト機器１００へ送る。
【００３５】
次に、本実施形態に係るコンテンツ送受信システムの動作について説明する。図２は、本実施形態に係るコンテンツ送受信システムの動作を示すフローチャートである。図３は、本実施形態に係るコンテンツ送受信システムの動作を示す模式図である。
【００３６】
本実施形態は、ホスト機器１００においてコンテンツに関するメタデータが生成される場合であり、ホスト機器１００からメタデータが送信される（ステップＳ１０１）。例えば、図３に示すように複数のコンテンツ（１曲目〜１０００曲目）がホスト機器１００に保存されているとき、それぞれのコンテンツに関するメタデータ（番号１〜１０００）がホスト機器１００において生成され、番号１〜１０００のメタデータが携帯機器２００に送信される。このとき、ホスト機器１００と携帯機器２００は相互に接続されている。
【００３７】
次に、携帯機器２００がホスト機器１００と接続されず、単独で使用されるとき、ユーザの操作によって、携帯機器２００のＵＩ部２０６を介してコンテンツのタイトルなどのメタ情報が表示される（ステップＳ１０２）。このとき、既に携帯機器２００にコンテンツが記録されているものと、メタデータのみが記録されているものが分けて表示される。例えば、図３に示す例では、１曲目〜３００曲目についてはコンテンツが記録されているが、番号３０１〜１０００のメタデータに関するコンテンツは携帯機器２００には未だ記録されていない。
【００３８】
そして、例えば、メタデータのみが記録されているコンテンツに対して、ホスト機器１００からのコンテンツの受信をするという操作予約がユーザによって設定される（ステップＳ１０３）。この設定を受けて、携帯機器２００のメタ生成部２１２は、操作予約に関する実行可否の判断を行い、実行可能である場合は、操作予約に関するメタデータを生成する。
【００３９】
次に、再び、携帯機器２００がホスト機器１００と相互に接続されたとき、ホスト機器１００は、メタデータの読出しを行なう（ステップＳ１０４）。メタデータに、コンテンツ送信についての操作予約が記録されている場合、ホスト機器１００は、コンテンツを携帯機器２００に送信する（ステップＳ１０５）。これにより、携帯機器２００がホスト機器１００に接続されていないときに操作予約されたコンテンツを携帯機器２００に記録させることができる。
【００４０】
例えば、図３に示す例で、番号３０１と１０００について操作予約がされたとすると、携帯機器２００がホスト機器１００と相互に接続されたとき、３０１曲目と１０００曲目のコンテンツがホスト機器１００から携帯機器２００に送信される。
【００４１】
なお、携帯機器２００がホスト機器１００と相互に接続されたとき、更新されたメタデータを携帯機器２００に送信してもよい（ステップＳ１０６）。これにより、携帯機器２００がホスト機器１００と接続されず単独で使用される間に、メタデータが更新されたとしても、携帯機器２００は新たなメタデータを記録しておくことができ、ユーザは次の操作予約の際、更新されたメタデータに基づいて操作予約を行うことができる。
【００４２】
次に、本実施形態に係る携帯機器２００の表示画面２３０の一例について説明する。図４は、本実施形態に係る携帯機器２００の表示画面を示す説明図である。
【００４３】
携帯機器２００の表示画面２３０には、例えば、コンテンツに関するアイコン２４０，２４２、タイトル２５０，２５２、アーティスト２５４，２５６、操作予約に関するアイコン２６０，２６２，２６４，２７０，２７２、購入済みのアイコン２８０、購入金額２８２が表示される。
【００４４】
携帯機器２００に既にコンテンツが記録されている場合は、コンテンツに関するアイコン２４０が明示されており、タイトル２５０、アーティスト２５４が選択可能に表示される。また、操作予約については、既にコンテンツが記録されていることから、ホスト機器１００からコンテンツを入手するためのアイコン２６０は、選択不可能であるが、ホスト機器１００からコンテンツを削除するためのアイコン２６２は選択可能に表示される。
【００４５】
一方、携帯機器２００に未だコンテンツが記録されていないが、メタデータのみ記録されている場合は、コンテンツに関するアイコン２４２は表示されず、タイトル２５２、アーティスト２５６は内容のみが表示され、選択不可能に表示される。また、操作予約については、ホスト機器１００からコンテンツを入手するためのアイコン２６２は選択可能であるが、ホスト機器１００からコンテンツ削除するためのアイコン２７２は選択不可能に表示される。アイコン２６４は、ホスト機器１００からコンテンツを入手する際に、ユーザによって選択された状態を示す。
【００４６】
上記のユーザによる操作は、例えば、携帯機器２００に設けられた選択ボタン２３２、２４０などによって行なわれる。
【００４７】
（第２の実施形態）
次に、本発明の第２の実施形態に係るコンテンツ送受信システムについて説明する。図５は、本実施形態に係るコンテンツ送受信システムの動作を示すフローチャートである。図６は、本実施形態に係るコンテンツ送受信システムの動作を示す模式図である。
【００４８】
第１の実施形態では、ホスト機器１００の記憶領域１０２にコンテンツが記録されている場合について主に説明したが、本実施形態では、コンテンツはネットワークを介して取得される。
【００４９】
本実施形態に係るコンテンツ送受信システムは、第１の実施形態とほぼ同一の構成であるため、詳細な説明は省略する。本実施形態のコンテンツ送受信システムは、ネットワークを介してコンテンツサーバ３００とホスト機器１００が接続される。コンテンツサーバ３００は、複数のコンテンツを蓄積しており、ホスト機器１００からの要求に応じてコンテンツをホスト機器１００に配信する。
【００５０】
なお、ホスト機器１００のＮＩＣ１０８は、コンテンツ情報取得部の一例であり、ネットワークを介してコンテンツサーバ３００からコンテンツに関する情報を取得する。また、データ制御部１１０は、メタデータ生成部の一例であり、ＮＩＣ１０８が取得したコンテンツ情報に基づいてメタデータを生成する。
【００５１】
次に、本実施形態に係るコンテンツ送受信システムの動作について説明する。まず、コンテンツサーバ３００からコンテンツに関する情報がホスト機器１００に書き込まれる（ステップＳ２０１）。そして、ホスト機器１００においてコンテンツに関するメタデータが生成され、ホスト機器１００からメタデータが送信される（ステップＳ２０２）。このとき、ホスト機器１００と携帯機器２００は相互に接続されている。
【００５２】
次に、携帯機器２００がホスト機器１００と接続されず、単独で使用されるとき、ユーザの操作によって、携帯機器２００のＵＩ部２０６を介してコンテンツのタイトルなどのメタ情報が表示される（ステップＳ２０３）。このとき、既に携帯機器２００にコンテンツが記録されているものと、メタデータのみが記録されているものが分けて表示される。
【００５３】
そして、例えば、メタデータのみが記録されているコンテンツに対して、ホスト機器１００からのコンテンツの受信をする（入手する）という操作予約がユーザによって設定される（ステップＳ２０４）。この設定を受けて、携帯機器２００のメタ生成部２１２は、操作予約に関する実行可否の判断を行い、実行可能である場合は、操作予約に関するメタデータを生成する。
【００５４】
次に、再び、携帯機器２００がホスト機器１００と相互に接続されたとき、ホスト機器１００は、メタデータの読出しを行なう（ステップＳ２０５）。メタデータに、コンテンツ送信についての操作予約が記録されている場合、ホスト機器１００は、コンテンツサーバに対してコンテンツ配信を要求し、コンテンツの購入を行なう（ステップＳ２０６）。そして、ホスト機器１００は携帯機器２００にコンテンツを送信し、携帯機器２００にはコンテンツが書き込まれる（ステップＳ２０７）。これにより、携帯機器２００がホスト機器１００に接続されていないときに操作予約されたコンテンツを入手することができる。
【００５５】
なお、携帯機器２００がホスト機器１００と相互に接続されたとき、更新されたメタデータを携帯機器２００に送信してもよい（ステップＳ２０７）。これにより、携帯機器２００がホスト機器１００と接続されず単独で使用される間に、メタデータが更新されたとしても、携帯機器２００は新たなメタデータを記録しておくことができ、ユーザは次の操作予約の際、更新されたメタデータに基づいて操作予約を行うことができる。
【００５６】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００５７】
例えば、上記実施形態では、ホスト機器１００においてメタデータが生成され、ホスト機器１００で生成されたメタデータに基づいて、ユーザが携帯機器２００上でコンテンツが未だ記録されていないコンテンツの入手予約をする場合について説明したが、本発明はかかる例に限定されない。例えば、携帯機器２００上で入手したいコンテンツのタイトルやアーティストなどの情報に関するメタデータを、ユーザの操作によって作成して、このメタデータをホスト機器１００に送信するとしてもよい。そして、ホスト機器１００は、携帯機器２００で生成されたメタデータに基づいて、コンテンツを携帯機器２００に送信する。これにより、ホスト機器１００側で生成されたメタデータに制限されず、携帯機器２００がホスト機器１００と接続されていないときにユーザが望んだコンテンツを携帯機器２００が取得することが可能となる。
【図面の簡単な説明】
【００５８】
【図１】本発明の第１の実施形態に係るコンテンツ送受信システムを示すブロック図である。
【図２】同実施形態に係るコンテンツ送受信システムの動作を示すフローチャートである。
【図３】同実施形態に係るコンテンツ送受信システムの動作を示す模式図である。
【図４】同実施形態に係る携帯機器の表示画面を示す説明図である。
【図５】本発明の第２の実施形態に係るコンテンツ送受信システムの動作を示すフローチャートである。
【図６】同実施形態に係るコンテンツ送受信システムの動作を示す模式図である。
【符号の説明】
【００５９】
１００      ホスト機器
１０２、２０２      記憶領域
１０６、２０６      ＵＩ部
１０８      ＮＩＣ
１１０、２１０      データ制御部
１１２      メタ解析部
１２０、２２０      インターフェース部
２００      携帯機器
２１２      メタ生成部
【図１】
2009140169.tif 000003
【図２】
2009140169.tif 000004
【図３】
2009140169.tif 000005
【図４】
2009140169.tif 000006
【図５】
2009140169.tif 000007
【図６】
2009140169.tif 000008